(57)【要約】【課題】各対のよりを戻した場合に、各対の２本の心線の長さが異なり、漏話減衰量特性が劣化し易い。又、フ゜ラク゛ハウシ゛ンク゛（以下、フ゜ラク゛）製品毎の対のより戻し長が不均一になり、反射減衰量特性が劣化し易く、結線作業性に劣る。【解決手段】主なものを挙げると、セハ゜レ‐タハウシ゛ンク゛（以下、セハ゜レ‐タ）の中央の上下に２箇の離隔用溝とその両側に２個の離隔用孔を形成し、前記溝と孔の位置が中心からみて上下と左右の距離を等間隔に夫々配置しかつ上側の溝に二股の溝を形成したセハ゜レ‐タで、それに４条の対より心線を前記孔と溝に装着した後、心線のよりを戻して、上側２本が二股の溝を通って上から下に一列に整列し、一方、下側溝の２本と両側孔の４本も一列に並行に整列されて合流し、先端には並行整列部が形成され、その並行整列部を先端にしたケ‐フ゛ル端末をワイヤカ゛イト゛の後方から装着しフ゜ラク゛へ挿入した後、金属端子を圧入して導通を得るモシ゛ユラフ゜ラク゛付きケ‐フ゛ル端末。【選択図】　　　　図１
2004139862.tif 000002
【特許請求の範囲】
【請求項１】
セパレータハウジング１４の中央部の上下に２箇所の離隔用溝２２とその両側に離隔用孔２１を夫々形成し、前記離隔用溝２２および離隔用孔２１の位置が中心からみて上下と左右の距離が等間隔になるように夫々配置し、かつ、その中央部の上側には、離隔用溝２２の前端側の中央に誘導および配列位置決め用としてガイド壁面Ａを設け、かつそのガイド壁面Ａの両側にガイド壁面Ｂを平行に形成することにより、二股の溝２３が形成されたセパレータハウジング１４構造で、その構造のセパレータハウジング１４に後方から４条の対より心線１９を前記離隔用孔２２と離隔用溝２１に装着した後、４条の対より心線１９のよりを戻して、８本の絶縁心線１８の内、上側の２本の絶縁心線１８が、ガイド壁面Ａと両側のガイド壁面Ｂの間を通過して上側から下側に自然に誘導され、水平前方方向に一列に整列し、一方、下側の２本の離隔用溝２２と両側の４本の離隔用孔２１からも絶縁心線１８が、前記上側の絶縁心線１８と一列に並行に整列されて合流し、その先端側には、並行整列部Ｆが形成されるので、その並行整列部Ｆを先端側にしたケーブル端末１７をワイヤガイド４の後方から装着し、プラグハウジング２の開口部３へ挿入した後、金属接触端子２５を圧入して導通を得ることを特徴とするモジュラプラグ付きケーブル端末１。
【請求項２】
請求項１のワイヤガイド４において、ワイヤガイド４の後方の上下方向に心線が挿入される水平方向に対して４５度以下のテーパ内壁面７と両側の側壁１２を設け、絶縁心線１８の挿入と並列誘導を容易にする為に、後方に行く程、上下方向が幅広となる絶縁心線受入れ開口部６を形成し、かつ、前記絶縁心線受入れ開口部６の上下のテーパ内壁面７には絶縁心線１８を誘導する為の突状のガイドレール９が夫々並行に形成され、上側内壁面に形成された突状のガイドレール９は、上方壁１０の先端部迄延長して形成され、他方、下側内壁面に形成された突状のガイドレール９は、ワイヤガイド４の先端部迄延長して形成されており、かつ、絶縁心線１８を保持する為に前記上方のテーパ内壁面につなげて形成した上方壁１０と両側の側壁１２で箱状構造を形成し、前記上方壁１０の前方には壁なし開放部１１を形成し、壁なし開放部１１の両側には絶縁心線を保持する為の側壁１２が形成されたワイヤガイド４構造で、その構造を有するワイヤガイド４の後方から、４条の対より心線１９のよりを戻した後、その並行整列部Ｆを先端側にしたケーブル端末１７を挿入した際に、プラグハウジング２の内部にはワイヤガイド４をプラグハウジング２に装着された金属接触端子２５の下部迄収容出来るワイヤガイド受容部５が形成されているので、絶縁心線１、２、７、８はワイヤガイドの左右側壁テーパ部Ｈとセパレータハウジングの両側に設けたガイド壁面Ｂの間に挟まれて自然に誘導され、同様に、絶縁心線３、６、４、５は、ワイヤガイドの上下テーパ部Ｉとセパレータハウジングの上下テーパ部Ｊの間に挟まれて自然に誘導され、かつ並行整列部Ｆは、常にセパレータハウジング１４の中心線上に位置することを特徴とするモジュラプラグ付きケーブル端末１。
【請求項３】
請求項２において、プラグハウジング２のワイヤガイド受容部５の上方内壁面に、ワイヤガイド４の収容時に、ワイヤガイド４の上方壁に形成された突状のガイドレール１０と同じライン上に突状のガイドレール２６を夫々配置させ、ワイヤガイドの壁なし開放部１１に配列されている心線を並行に整列して誘導させ、ワイヤガイドの壁なし開放部１１で金属接触端子２５を圧入して導通を得ることを特徴とするモジュラプラグ付きケーブル端末１。
【請求項４】
請求項１，請求項２、請求項３において、ワイヤガイド４の後端に設けた係止部Ｃとセパレータハウジング１４に設けた係止部Ｃで係止させて一体化させたことを特徴とするモジュラプラグ付きケーブル端末１。
【発明の詳細な説明】
【０００１】
【発明が属する技術分野】
本発明は、セパレータ付きワイヤガイドケーブル２０をプラグハウジング２に嵌合させたモジュラプラグ付きケーブル端末１に関し、特に、ＬＡＮ等に使用される高速伝送特性を有するモジュラプラグ付きケーブル端末１で、漏話減衰量（クロストーク）特性の安定化と反射減衰量（リターンロス）特性の劣化防止をはかり、絶縁心線の結線作業性の向上だけでなく、ＬＡＮ用コネクタ等に使用することにより、誰にでも容易に安定した性能を維持することを可能にするモジュラプラグ付きケーブル端末１に関する。
【０００２】
【従来の技術】
従来のモジュラプラグ付きケーブル端末１′は、先に我々が出願した特願平２００１ー２２７２０６号で示すように導電性を有する金属接触端子２５′を装備したプラグハウジング２′と絶縁心線１８′を１列に整列させる心線整列部品２８′から構成されている。対より心線１９′のよりを戻して、各心線を並行に仮整列して心線整列部品２８′に挿入し、整列が崩れないように固定した後、モジュラプラグハウジングの開口部３′へ挿入して接続させる。心線配列作業を容易にする為には、各対より心線１９′を１列に並列させることが必要であった。ＬＡＮ用プラグにおいては、心線の配列が規定されており、対より心線のよりを戻した場合、対よりを構成する２本の心線の長さが一定とならず、漏話減衰量を均一化させることが困難であった。
【０００３】
【発明が解決しようとする課題】
このように従来構造は、図４に示すように、絶縁心線１８′の各対のよりを戻した場合、第１に、各対の２本の心線の長さが異なる。第２に、各対間の距離が近い。第３に、常時同じ構造にならない。という構造であった。これにより、対の平衡度が悪化し、漏話減衰量特性が劣化してしまうという欠点があった。又、対よりの戻し位置が一定でない為、漏話減衰量の低減化には構造的に限界があった。一方、プラグハウジング製品毎の対のより戻し長が不均一になる為、各対より心線の配置がケーブルと同一に維持することが出来ず、各対のインピーダンスが変化することによって、反射減衰量特性が劣化し易い構造であった。　従って、作業性や技術面や信頼性の面で更に高速性能化をはかったモジュラプラグの出現が要望されている。
【０００４】
【課題を解決する為の手段】
本発明は、これらの問題を解決する為に、鋭意検討した結果、
第１に、セパレータハウジング１４の中央部の上下に２箇所の離隔用溝２２とその両側に離隔用孔２１を夫々形成し、前記離隔用溝２２および離隔用孔２１の位置が中心からみて上下と左右の距離が等間隔になるように夫々配置させ、かつ、その中央部の上側には、離隔用溝２２の前端側の中央に誘導および配列位置決め用としてガイド壁面Ａを設け、かつそのガイド壁面Ａの両側にガイド壁面Ｂを平行に形成することにより、二股の溝２３が形成されたセパレータハウジング１４構造で、その構造のセパレータハウジング１４に後方から４条の対より心線１９を前記離隔用孔２２と離隔用溝２１に装着した後、４条の対より心線１９のよりを戻して、８本の絶縁心線１８の内、上側の２本の絶縁心線１８が、ガイド壁面Ａと両側のガイド壁面Ｂの間を通過して上側から下側に自然に誘導され、水平前方方向に一列に整列し、一方、下側の２本の離隔用溝２２と両側の４本の離隔用孔２１からも絶縁心線１８が、前記上側の絶縁心線１８と一列に並行に整列されて合流し、その先端側には、並行整列部Ｆが形成されるので、その並行整列部Ｆを先端側にしたケーブル端末１７をワイヤガイド４の後方から装着し、プラグハウジング２の開口部３へ挿入した後、金属接触端子２５を圧入して導通を得るモジュラプラグ付きケーブル端末１であり、
第２に、第１のワイヤガイド４において、ワイヤガイド４の後方の上下方向に心線が挿入される水平方向に対して４５度以下のテーパ内壁面７と両側の側壁１２を設け、絶縁心線１８の挿入と並列誘導を容易にする為に、後方に行く程、上下方向が幅広となる絶縁心線受入れ開口部６を形成し、かつ、前記絶縁心線受入れ開口部６の上下のテーパ内壁面７には絶縁心線１８を誘導する為の突状のガイドレール９が夫々並行に形成され、上側内壁面に形成された突状のガイドレール９は、上方壁１０の先端部迄延長して形成され、他方、下側内壁面に形成された突状のガイドレール９は、ワイヤガイド４の先端部迄延長して形成されており、かつ、絶縁心線１８を保持する為に前記上方のテーパ内壁面につなげて形成した上方壁１０と両側の側壁１２で箱状構造を形成し、前記上方壁１０の前方には壁なし開放部１１を形成し、壁なし開放部１１の両側には絶縁心線を保持する為の側壁１２が形成されたワイヤガイド４構造で、その構造を有するワイヤガイド４の後方から、４条の対より心線１９のよりを戻した後、その並行整列部Ｆを先端側にしたケーブル端末１７を挿入した際に、プラグハウジング２の内部にはワイヤガイド４をプラグハウジング２に装着された金属接触端子２５の下部迄収容出来るワイヤガイド受容部５が形成されているので、絶縁心線１、２、７、８はワイヤガイドの左右側壁テーパ部Ｈとセパレータハウジングの両側に設けたガイド壁面Ｂの間に挟まれて自然に誘導され、同様に、絶縁心線３、６、４、５は、ワイヤガイドの上下テーパ部Ｉとセパレータハウジングの上下テーパ部Ｊの間に挟まれて自然に誘導され、かつ並行整列部Ｆは、常にセパレータハウジング１４の中心線上に位置するモジュラプラグ付きケーブル端末１であり、
第３に、第２において、プラグハウジング２のワイヤガイド受容部５の上方内壁面に、ワイヤガイド４の収容時に、ワイヤガイド４の上方壁に形成された突状のガイドレール１０と同じライン上に突状のガイドレール２６を夫々配置させ、ワイヤガイドの壁なし開放部１１に配列されている心線を並行に整列して誘導させ、ワイヤガイドの壁なし開放部１１で金属接触端子２５を圧入して導通を得るモジュラプラグ付きケーブル端末１であり、
第４に、第１，第２、第３において、ワイヤガイド４の後端に設けた係止部Ｃとセパレータハウジング１４に設けた係止部Ｃで係止させて一体化させたモジュラプラグ付きケーブル端末１である。
【０００５】
【発明の実施の形態】
【発明の実施形態】
本発明のモジュラプラグ付きケーブル端末１について図面を参照して以下に具体的に説明する。
【０００６】
始めに、図１（イ）は、本発明の実施例で、ワイヤガイド４とセパレータハウジング１４とケーブル端末１７の斜視図であり、図１（ロ）は、本発明のセパレータ付きワイヤガイドケーブル２０をプラグハウジング２の開口部３に挿入する前の状態を側面からみたモジュラプラグ付きケーブル端末１の断面図である。図から明らかなように、
第１としては、図１（イ）に示すように、セパレータハウジング１４の中央部の上下に２箇所の離隔用溝２２とその両側に離隔用孔２１を夫々形成し、前記離隔用溝２２および離隔用孔２１の位置が中心からみて上下と左右の距離が等間隔になるように夫々配置し、かつ、その中央部の上側には、離隔用溝２２の前端側の中央に誘導および配列位置決め用としてガイド壁面Ａを設け、かつそのガイド壁面Ａの両側にガイド壁面Ｂを平行に形成することにより、二股の溝２３が形成されたセパレータハウジング１４構造である。その構造のセパレータハウジング１４に後方から４条の対より心線１９を前記離隔用孔２２と離隔用溝２１に装着した後、４条の対より心線１９のよりを戻して、８本の絶縁心線１８の内、上側の２本の絶縁心線１８が、ガイド壁面Ａと両側のガイド壁面Ｂの間を通過して上側から下側に自然に誘導され、水平前方方向に一列に整列し、一方、下側の２本の離隔用溝２２と両側の４本の離隔用孔２１からも絶縁心線１８が、前記上側の絶縁心線１８と一列に並行に整列されて合流し、その先端側には、並行整列部Ｆが形成されるので、その並行整列部Ｆを先端側にしたケーブル端末１７をワイヤガイド４の後方から装着し、プラグハウジング２の開口部３へ挿入した後、金属接触端子２５を圧入して導通を得るモジュラプラグ付きケーブル端末１である。ここで、上側の二股の溝２３を形成することにより、より戻しの開始位置が常に一定位置で開始される。（図１（イ）と図２の平面図）又、セパレータハウジングの中央部の上側に設けたガイド壁面Ａは、必ずしも図１（イ）に示すようなブロックにしないで、両側に２個の壁面を設けた形状のものでも構わない。次に、下側の離隔用溝２２からの２本の絶縁心線１８は、図２の下側からみた底面部分断面図で明らかなように、対より線のよりが戻され、一列に並行に整列される。同様に、両側の離隔用孔２１の４本の絶縁心線も、対より線が戻され、一列に並行に前記上側の絶縁心線１８と一列に並行に整列されて合流し、その先端側には、並行整列部Ｆが形成される。
次に、第２として、図１（イ）と図１（ロ）と図２に示すように、第１のワイヤガイド４において、ワイヤガイド４の後方の上下方向に心線が挿入される水平方向に対して４５度以下のテーパ内壁面７と両側の側壁１２を設け、絶縁心線１８の挿入と並列誘導を容易にする為に、後方に行く程、上下方向が幅広となる絶縁心線受入れ開口部６を形成し、かつ、前記絶縁心線受入れ開口部６の上下のテーパ内壁面７には絶縁心線１８を誘導する為の突状のガイドレール９が夫々並行に形成され、上側内壁面に形成された突状のガイドレール９は、上方壁１０の先端部迄延長して形成され、他方、下側内壁面に形成された突状のガイドレール９は、ワイヤガイド４の先端部迄延長して形成されており、かつ、絶縁心線１８を保持する為に前記上方のテーパ内壁面につなげて形成した上方壁１０と両側の側壁１２で箱状構造を形成し、前記上方壁１０の前方には壁なし開放部１１を形成し、壁なし開放部１１の両側には絶縁心線を保持する為の側壁１２が形成されたワイヤガイド４構造である。その構造を有するワイヤガイド４の後方から、４条の対より心線１９のよりを戻した後、その並行整列部Ｆを先端側にしたケーブル端末１７を挿入した際に、プラグハウジング２の内部にはワイヤガイド４をプラグハウジング２に装着された金属接触端子２５の下部迄収容出来るワイヤガイド受容部５が形成されているので、絶縁心線１、２、７、８はワイヤガイドの左右側壁テーパ部Ｈとセパレータハウジングの両側に設けたガイド壁面Ｂの間に挟まれて自然に誘導され、同様に、絶縁心線３、６、４、５は、ワイヤガイドの上下テーパ部Ｉとセパレータハウジングの上下テーパ部Ｊの間に挟まれて自然に誘導されるので、一列に並行整列される迄の過程としては、強制的に必ず一定配列になり、かつ並行整列部Ｆは、常にセパレータハウジング１４の中心線上に位置するモジュラプラグ付きケーブル端末１である。ワイヤガイド４の下側は、テーパ内壁面７があり、上側に傾斜しているので、先端側の並行整列部Ｆが挿入されると自動的に上側に位置が変動する。従って、並行整列部Ｆは、常にセパレータハウジングの中心線上に位置することになる。又、ワイヤガイド４の心線の脱落防止用上方壁１４を設けた方が心線が脱落せず、好ましい結果を示したが、単に直線状に形成した側壁でも使用することは可能である。
更に、第３として、図１（ロ）に示すように、プラグハウジング２のワイヤガイド受容部５の上方内壁面に、ワイヤガイド４の収容時に、ワイヤガイド４の上方壁に形成された突状のガイドレール１０と同じライン上に突状のガイドレール２６を夫々配置させ、ワイヤガイドの壁なし開放部１１に配列されている心線を並行に整列して誘導させ、ワイヤガイドの壁なし開放部１１で金属接触端子２５を圧入して導通を得るモジュラプラグ付きケーブル端末１である。
最後に、第４として、図１（イ）に示すように、ワイヤガイド４の後端に設けた係止部Ｃとセパレータハウジング１４に設けた係止部Ｃで係止させて一体化させたモジュラプラグ付きケーブル端末１である。又、セパレータハウジング１４とワイヤガイド４を係止させて一体化させた例として、係止部Ｃを設けた例を図示したが、単に挿入し、突き当てて一体化させたものでも構わない。
このように、本発明は、中央に位置する離隔用孔２１と中央上部に形成された離隔用溝２２の前方に、対より心線１９のよりを戻して配列する為の二股の溝２３を設けた構造であるので、
１．一列に並行整列される迄の過程としては、強制的に必ず一定配列になり、かつ、絶縁心線配線時に心線配線位置が上下、左右が夫々等間隔であるだけでなく、各対間の距離を大きく離隔することが出来、しかも、並行整列部Ｆは、常にセパレータハウジングの中心線上に位置する為、各対を構成する２本の心線の長さがほぼに同一になり、常に安定した配列構造になる。（図２の平面図と図４参照）
２．中央上部から下がってくる２本の心線は、他の６本の心線と常に一定の角度（ほぼ４５度）を持って配列される。
３．中央上部の２本の心線は、他の６本の心線と、常にセパレータハウジングの前方の定位置で整列される。
４．Ａ端末部品とＢ端末部品を比較すると、Ａ端末部品を裏返せば、Ｂ端末部品となり、部品削減に寄与する。（図３参照）
次に、本発明のモジュラプラグへの結線方法について、具体的実施例を下記に説明する。
１．心線毎に色付けされた４条の対より心線１９からなるケーブルのシース（図示せず）を剥き、対より心線１９を取り出し、各対より心線１９を１列に配置された２箇所の孔２１及びその中央上部と下部に配置された２箇所の溝２２に各々挿入して保持させる。
２．前記の各孔２１及び溝２２で離隔された各対より心線１９をケーブルのシース端がセパレータハウジング１４の後端面に突き当たる迄引張って位置決めし、セパレータハウジング１４の前端面を基準に各対より心線１９のよりを戻す。
３．前記２箇所の孔２１と下側の溝２２で保持され、よりを戻した６本の心線を、決められた順（例えば、図３と図４の１２，４５，７８）に１列の並行状に仮整列する。
４．前記中央上部の溝２２で保持され、二股の溝２３の部分で対より心線１９のよりを戻すので、先に水平方向に配列された他の６本の心線に対して常に一定の角度（ほぼ４５度）を持って配線されると同時に他の６本の心線間の決められた位置（例えば、図３と図４の３６）に配列され、かつ、常にセパレータハウジング１４の前方の定位置で整列されることになる。
５．１列の並行に仮整列されたケーブル端末１７をワイヤガイド４に挿入し、整列が崩れないように保持する。（セパレータハウジング１４とワイヤガイド４を係止させて一体化して組み立てることにより、整列構造を保持、固定する）
６．ワイヤガイド４の前端面を基準に心線を切断する。
７．導電性を有する金属接続端子２５を装備したプラグハウジング２のワイヤガイド誘導機能を有するプラグハウジング２の内壁面に沿わせるようにワイヤガイド受容部５に挿入する。
８．この時、各対より心線１９を離隔し、位置決めされたセパレータハウジング１４は、ケーブルシース端にその後端面を突き当てて位置決めされているので、セパレータハウジング１４の後端面に突き当てたケーブルシースでセパレータハウジング１４を押すことにより、導電性を有する金属接続端子２５を装備したプラグハウジング４の心線挿入部に容易に挿入することが出来る。
９．プラグハウジング４の心線挿入部に心線を挿入後、各心線の上部に位置されている金属接続端子２５を各心線に圧入させて結線が完了する。
更に、本発明のワイヤガイド４やセパレータハウジング１４は、以上のような構造である為、下記の効果が得られる。
１．ワイヤガイド４の効果
１−１．ワイヤガイド４のテーパ内面壁７に対より部を突き当てることで、常により戻しの開始位置を一定に出来、よりを戻し並行に配列される各対の２本の心線の長さを一定長に保持したまま容易にプラグハウジング２へ嵌合出来、漏話減衰量を均一化することが可能になる。
２．セパレータハウジング１４の効果
２−１．セパレータハウジング１４により、セパレータハウジング１４の前端面まで対より心線１９の配置がケーブルと同一に維持される為、対より心線１９の配列の乱れによるインピーダンスの変動が最小限に抑えられ、反射減衰量の劣化を防止することが出来る。
２−２．セパレータハウジング１４を使用することによって、対より心線１９の距離を離隔すると同時に、配置を均一に出来る為、対より心線１９間の漏話減衰量を均一に抑えられる。又、対のより戻し位置をセパレータハウジング１４の前端面で揃えられる為、対のより戻し長を容易に一定にすることが出来、漏話減衰量を安定化させることが出来る。
２−３．セパレータハウジング１４の離隔用孔２１又は溝２２の配置により、各対より心線１９は、上下、左右が等間隔であり、並行整列部Ｆが中心線上に配置され、各対の２本線の長さをほぼ同一とすることが出来、心線の長さの差により生じる平衡度の劣化を抑え、漏話減衰量を低減させることが出来る。
３．ワイヤガイド４とセパレータハウジング１４の組み合わせの効果
３−１．並行整列部Ｆを先端側にしたケーブル端末１７をワイヤガイド４の後端側から挿入し、ワイヤガイド４の後端に形成された心線収容スペースＧでセパレータハウジング１４の前方で配列された心線を収容した後、ワイヤガイド４とセパレータハウジング１４を係合させて一体化させたので、並行整列部Ｆは、常にセパレータハウジング１４の中心線上に位置する。従って、心線のくずれがなく、常に安定した配列状態を維持することが出来るので、漏話減衰量を均一化することが出来る。
３−２．ワイヤガイド４とセパレータハウジング１４が係合されて一体化されているので、セパレータ付きワイヤガイドケーブル２０がワンセットでプラグハウジング２に嵌合されるので、結線作業性がより容易になる。
【０００７】
本発明品と従来品との漏話減衰量特性に関する性能比較を行った結果を以下の表１に示す。ここで、本発明品は、ワイヤガイド４とセパレータハウジング１４の組み合わせからなる構造で、従来品は図５に示す構造のものを使用した。
【０００８】
【表１】
2004139862.tif 000003
【０００９】
このことから、本発明品は、従来品に比べて、要求特性範囲の中心に近く、性能が良いことがわかる。
【００１０】
今迄、代表的な例として、プラグハウジングに２箇所の孔やその中央上部に形成された２箇所の離隔用溝を挙げたが、夫々を溝や孔にしても使用することは可能である。又、ワイヤガイドのテーパ内壁面をやや丸みを帯びた形状の内壁面にしても構わない。このように、ハウジング・セパレータハウジング・ワイヤガイド・突状のガイドレール・金属接触端子の形状等これに限らず、設計変更に伴う多少の変形例でも一向に構わず、本発明の範囲内であることはいうまでもない。
【００１１】
【発明の効果】
以上の説明の様に、本発明のモジュラプラグ付きケーブル端末１によれば、
１．漏話減衰量特性の安定化がはかれる。
２．反射減衰量特性の劣化防止がはかれる。
３．絶縁心線の結線作業性の向上をはかれる。
４．ＬＡＮ等の高速伝送のコネクタ製品に使用した場合、誰でも容易に安定した性能を維持させることが出来ので、その工業的価値は非常に大きい。
【図面の簡単な説明】
【図１】（イ）本発明の実施例で、ワイヤガイド４とセパレータハウジング１４の斜視図並びに対より心線１９をセパレータハウジング１４に装着した後、４条の対より心線１９のよりを戻して並行整列部Ｆを形成したケーブル端末１７の斜視図である。
（ロ）本発明の実施例で、対より心線１９をセパレータハウジング１４に装着したケーブル端末１７をワイヤガイド４に挿入した後のセパレータ付きワイヤガイドケーブル２０をプラグハウジング２の開口部３に挿入する前の状態を側面からみたモジュラプラグ付きケーブル端末１の断面図である。
【図２】本発明の実施例で、対より心線１９をセパレータハウジング１４に装着した後、４条の対より心線１９のよりを戻して、並行整列部Ｆを形成した状態を示し、夫々上側からみた平面部分断面図、側面からみた側面断面図、下側からみた底面部分断面図である。
【図３】本発明の実施例で、モジュラプラグ付きケーブル端末１の配列構成の斜視図である。
【図４】本発明の絶縁心線１８と従来の絶縁心線１８′の配列構造の比較説明図である。
【図５】従来の心線整列部品２８″の斜視図と心線整列部品２８′がプラグハウジング２′の開口部３′に挿入された後の状態をモジュラプラグ付きケーブル端末１′の側面からみた断面図である。
【符号の説明】
１　　　本発明のモジュラプラグ付きケーブル端末
２　　　プラグハウジング
３　　　開口部
４　　　ワイヤガイド
５　　　ワイヤガイド受容部
６　　　絶縁心線受入れ開口部
７　　　テーパ内壁面
８　　　絶縁心線挿入孔
９　　　突状のガイドレール（ワイヤガイド内壁）
１０　　　上方壁
１１　　　　　　壁なし開放部
１２　　　　　　側壁（ワイヤガイド）
１３　　　　　　心線の脱落防止用上方壁
１４　　　　　　セパレータハウジング
１５　　　　　　セパレータ付きワイヤガイド
１６　　　　　　ロック部
１７　　　　　　ケーブル端末
１８　　　　　　絶縁心線
１９　　　　　　対より心線
２０　　　　　　セパレータ付きワイヤガイドケーブル
２１　　　　　　離隔用孔
２２　　　　　　離隔用溝
２３　　　　　　二股の溝
２４　　　　　　側壁（セパレータハウジング）
２５　　　　　　金属接触端子
２６　　　　　　突状のガイドレール（プラグハウジング内壁）
２７　　　　　　レバー
Ａ　　　中央に設けたガイド壁面
Ｂ　　　両側に設けたガイド壁面
Ｃ　　　係止部
Ｄ　　　対より部
Ｅ　　　心線離隔部
Ｆ　　　　　　並行整列部
Ｇ　　　心線収容スペース
Ｈ　　　ワイヤガイドの左右側壁テーパ部
Ｉ　　　　　　ワイヤガイドの上下テーパ部
Ｊ　　　　　セパレータハウジングの上下テーパ部
１′　　従来のモジュラプラグ付きケーブル端末
２′　　プラグハウジング
３′　　開口部
８′　　絶縁心線挿入孔
１８′　　絶縁心線
１９′　　　対より心線
２５′　　　金属接触端子
２７′　　　　レバー
２８′　　　　心線整列部品
【図１】
2004139862.tif 000004
【図２】
2004139862.tif 000005
【図３】
2004139862.tif 000006
【図４】
2004139862.tif 000007
【図５】
2004139862.tif 000008